(57)【要約】      （修正有）【課題】飼育ケージを折畳み可能にすると共に、組み立てて使用する際に、側面板が折れ曲がるのを防止する補強部材を不要とした、この飼育ケージを多数収容する実験動物用飼育装置を提供する。【解決手段】ラック１に飼育ケージ３を収容する実験動物用飼育装置において、ラック１には、飼育ケージ３の上部を挟む位置に挟持部材４を設ける。飼育ケージ３は、直方体状の容器であり、容器の高さがラック１の棚間の幅より小であると共に、上部に前記挟持部材４と係合する係合部材を有し、正面板及び背板を、天井板に回動自在に取付けると共に、床板との間に取付けた施錠手段により施錠可能にし、側面板を折曲部材により上板と下板を連結したものとすることにより、飼育ケージ３を折畳み自在にする。そして、ラック１の挟持部材４に飼育ケージ３の係合部材を係合して、飼育ケージ３をラック１に吊下する。【選択図】図１
0003187230.tif 000002
【実用新案登録請求の範囲】
【請求項１】
棚を多段に配置したラックに、多数の飼育ケージを多段多列に配置してなる実験動物用飼育装置において、
前記ラックには、飼育ケージの上部を挟む位置に挟持部材を設け、
前記飼育ケージは、正面板、天井板、床板、背板及び一対の側面板により形成された直方体状の容器であり、容器の高さがラックの棚間の幅より小であると共に、上部に前記挟持部材と係合する係合部材を有し、
前記正面板及び背板を、天井板に回動自在に取付けると共に、床板との間に取付けた施錠手段により施錠可能にし、前記側面板を折曲部材により上板と下板を連結したものとすることにより、飼育ケージを折畳み自在にし、
しかして、ラックに設けた挟持部材に飼育ケージに設けた係合部材を係合して、飼育ケージをラックに吊下することを特徴とする実験動物用飼育装置。
【請求項２】
棚を多段に配置したラックに、多数の飼育ケージを多段多列に配置してなる実験動物用飼育装置において、
前記ラックには、飼育ケージの上部を挟む位置に挟持部材を設け、
前記飼育ケージは、正面板、天井板、床板、背板及び一対の側面板により形成された直方体状の容器であり、容器の高さがラックの棚間の幅より小であると共に、上部に前記挟持部材と係合する係合部材を有し、
前記正面板及び背板を、床板に回動自在に取付けると共に、天井板との間に取付けた施錠手段により施錠可能にし、前記側面板を折曲部材により上板と下板を連結したものとすることにより、飼育ケージを折畳み自在にし、
しかして、ラックに設けた挟持部材に飼育ケージに設けた係合部材を係合して、飼育ケージをラックに吊下することを特徴とする実験動物用飼育装置。
【請求項３】
前記折曲部材により、側面板が飼育ケージの内側に折曲し、側面板を構成する上板と下板とが、天井板の幅の１／２未満であることを特徴とする請求項１又は２に記載の実験動物用飼育装置。
【考案の詳細な説明】
【技術分野】
【０００１】
本考案は、折畳式の飼育ケージと当該飼育ケージを多数収容するラックとからなる実験動物用飼育装置に関する。
【背景技術】
【０００２】
実験動物用飼育装置は、実験用のマウス、ラットなど（以下、「実験動物」という）を、単独又は小グループで飼育ケージに入れて、清浄な環境の下、飼育するための装置であり、飼育ケージを多数並べてラックに収容し、空調などの設備と接続する。
飼育ケージは洗浄して繰り返し使用するのであるが、飼育ケージを構成する容器の劣化などを考慮し、ラックに収容する以外に大量に保管している。
この大量の飼育ケージを保管するためのスペースを節約するため、積重ね易い形状にするという工夫がなされている（特許文献１）。
この飼育ケージは、それ自体が折畳めるわけでないので、未だ広い保管スペースを必要とする。そこで、本考案の考案者は、ペット用に使用されている折畳式のケージ（特許文献２）を実験動物用に転用することを考えた。
【０００３】
しかし、前記特許文献２に記載のケージは、組み立てて使用する際に、側面板が折れ曲がらないようにするための補強部材が必要となる。ペット用ケージのように一つであればよいが、実験動物用ではケージが多数あり、補強部材を取付ける作業が煩雑である。
【先行技術文献】
【特許文献】
【０００４】
【特許文献１】特開２０１２−２９６１８号公報
【特許文献２】実用新案登録第３０７５１４３号公報
【考案の概要】
【考案が解決しようとする課題】
【０００５】
本考案の課題は、飼育ケージを折畳み可能にすると共に、組み立てて使用する際に、側面板が折れ曲がるのを防止する補強部材を不要にする。そして、この飼育ケージを多数収容可能な実験動物用飼育装置を提供することである。
【課題を解決するための手段】
【０００６】
請求項１記載の考案は、棚を多段に配置したラックに、多数の飼育ケージを多段多列に配置してなる実験動物用飼育装置において、
前記ラックには、飼育ケージの上部を挟む位置に挟持部材を設け、
前記飼育ケージは、正面板、天井板、床板、背板及び一対の側面板により形成された直方体状の容器であり、容器の高さがラックの棚間の幅より小であると共に、上部に前記挟持部材と係合する係合部材を有し、
前記正面板及び背板を、天井板に回動自在に取付けると共に、床板との間に取付けた施錠手段により施錠可能にし、前記側面板を折曲部材により上板と下板を連結したものとすることにより、飼育ケージを折畳み自在にし、
しかして、ラックに設けた挟持部材に飼育ケージに設けた係合部材を係合して、飼育ケージをラックに吊下することを特徴とする。
【０００７】
請求項２記載の考案は、前記正面板及び背板を、床板に回動自在に取付けると共に、天井板との間に取付けた施錠手段により施錠可能とすることを特徴とする。
【０００８】
請求項３記載の考案は、前記折曲部が飼育ケージの内側に折曲し、折曲部の上側に位置する上板と下側に位置する下板とを、天井板の幅の１／２未満にすることを特徴とする。
【考案の効果】
【０００９】
請求項１に記載の考案は、飼育ケージは、正面板、天井板、床板、背板及び一対の側面板により形成された直方体状の容器であり、前記正面板及び背板を天井板又は床板に回動自在に形成し、側面板を折曲部材により上板と下板を連結したものとするので、折畳んでコンパクトにできる。
また、飼育ケージは容器の高さがラックの棚間の幅より小であると共に、上部に前記挟持部材と係合する係合部材を有し、ラックに吊下するので、床板の重さにより、側面板が緊張する。よって、側面板の折れ曲がり防止の補強部材が不要である。
また、正面板及び背板を、天井板に回動自在に取付けると共に、床板との間に取付けた施錠手段により施錠可能にしたので、ラックに吊下した状態で正面板及び背板を閉じやすい。
【００１０】
請求項２の発明は、正面板及び背板を、床板に回動自在に取付けると共に、天井板との間に取付けた施錠手段により施錠可能とするので、施錠手段にて施錠していないと、吊下した状態で容易に正面板及び背板が開くので、施錠のし忘れを防止できる。
【００１１】
請求項３に記載の考案は、折曲部が、飼育ケージの内側に折曲し、折曲部の上側に位置する上板と下側に位置する下板とを、天井板の幅の１／２未満にするので、折曲した左右の側面板同士が衝突せず、また収容する幅を狭くできる。
【図面の簡単な説明】
【００１２】
【図１】実験動物用飼育装置の正面図である。
【図２】飼育ケージの正面図である。
【図３】飼育ケージの背面図である。
【図４】正面板及び背板を開けた状態の飼育ケージの背面図である。
【図５】飼育ケージの側面図である。
【図６】飼育ケージを折畳む途中の状態の作用図であり、正面板及び背面板を省略する。
【図７】天井板の斜視図である。
【図８】床板の平面図である。
【図９】別の実施形態の飼育ケージの正面図である。
【図１０】別の実施形態の飼育ケージを折畳む途中の状態の作用図であり、正面板及び背面板を省略する。
【考案を実施するための形態】
【００１３】
本考案の実施形態について以下図面と共に説明する。
なお、空調、給餌、清掃に係る設備は公知のものを使用するので、図１〜図８では図示を省略する。
【００１４】
１はラックであり、多数の棚２を上下に配列してなる。このラック１は、正面及び側面が開放している。棚２には、多数の飼育ケージ３を並べて配置する。
また、ラック１には、ラックの天板又は棚２の裏面に固着した吊下用突起４（挟持部材）を、飼育ケージ３の上部を挟む位置に設ける。
【００１５】
飼育ケージ３は、正面板５、天井板６、床板７、背板８及び一対の側面板９，９により形成された折畳み自在な直方体状の容器である。
正面板５及び背板８は、蝶番１５、１６を使用してそれぞれ天井板６に回動自在に接続する。
また、正面板５と床板７との間、背面板８と床板７との間には、それぞれパチン錠等の施錠手段２０，２１（２１ａ，２１ｂ）を取付けて、正面板５及び背面板８を床板７と連結した状態で施錠可能にする。
【００１６】
正面板５は、縦がラック１の棚２間の間隔より短い矩形状の板であり、左右両縁に側縁板５ａ，５ａを有し、この側縁板５ａ，５ａの一方（図２では左側）に蝶番５ｂを介し格子状の扉部材５ｃを開閉自在に取付けたものである。側縁板５ａ，５ａの他方（図２では右側）には、扉部材５ｃに設けた扉側金具５ｄと係合して扉部材５ｃを閉じる、閉鎖部材５ｅを固設する。
天井板６は、両側面に係合溝１０（係合部材）を有する矩形状の板である。この係合溝１０は、ラック１に設けた吊下用突起４と滑動自在に係合する。
床板７は、天井板６よりやや小さく、上面部が開放した矩形のトレー状のものである。この上面部の開口に内側に向けて床網支持用部材７ａを突設し、この床網支持用部材７ａで床網１１を支持固定する。
背板８は、正面板５と同じ大きさの矩形状の板である。
側面板９は、それぞれ矩形状の上板９ａと下板９ｂを、蝶番１２（折曲部材）で内側に向け折曲自在に連結してなる。そして、上板９ａの上端を天井板６に、下板９ｂの下端を床板７に、蝶番１３，１４を介してそれぞれ接続する。
上板９ａの高さｈ１と下板９ｂの高さｈ２は、それぞれ天井板６の幅ｗの１／２未満にする。
また、この側面板９には、中央部に窓１７が開口している。この窓１７の上下には、窓開閉用板１８を前後方向（図５の左右方向）に滑動自在に案内する案内溝を有する案内部材１９を備える。
【００１７】
以上の実験動物用飼育装置は、多数の飼育ケージ３をラック１の各棚２に配置する。その際に、飼育ケージ３の上部にある係合溝１０を、ラック１の吊下用突起４に嵌め、飼育ケージ３をラック１の背面側に向け滑動する。この時、飼育ケージ３の側面板９は、床板７の重さにより緊張し、真っ直ぐになる。
飼育ケージ３の組み立ては、以下の手順で行う。
前記のとおりラック１に吊下すると側面板９は、床板７の重さにより緊張し、真っ直ぐになる。この状態で、施錠手段２０，２１で正面板５と背板８をそれぞれ床板７に固定する。
さらに、必要に応じて窓１７に窓開閉用板１８を取付ける。
また、飼育ケージ３の折畳みは、以下の手順で行う。
窓１７から窓開閉用板１８を取り外す。この後、施錠手段２０，２１を開錠し、正面板５及び背板８を持ち上げた後、側面板９，９を折り曲げる。側面板９を構成する上板９ａと下板９ｂの高さを、天井板６の幅の１／２未満にしたので、折畳んだ左右の上板９ａ又は左右の下板９ｂ同士が衝突することなく、折曲できる。
【００１８】
前記実施形態では、天井板６に係合溝（係合部材）１０を、ラック１に吊下用突起（挟持部材）４を設けているが、本考案はこれに限るものではなく、天井板６に吊下用突起１０を、ラック１に係合溝４を設けてもよい（図９）。この考案では、ラック１に設けた係合溝又は吊下用突起を挟持部材４とし、天井板６に設けた吊下用突起又は係合溝を係合部材１０とする。
また、前記実施形態では、側面板９を内側に向け折曲自在としたが、本考案はこれに限るものではなく、外側に向けて折曲自在にしてもよい（図１０）。この構成にすると、側面板９の高さを自由にできる。
ただし、内側に向け折曲自在にしたほうが、収容する幅を狭くできる。
また、前記実施形態は、正面板固定用部材１５と背板固定用部材１６とを側面板９に設けたが、本考案はこれに限るものではなく、天井板６と床板７に設けてもよい。あるいは、正面板固定用部材１５と背板固定用部材１６とを、天井板６、床板７及び側面板９に設けてもよい。
さらに、飼育ケージの正面板５を構成する扉部材５ｃを格子状にしたが、本考案はこれに限るものではなく、透明の板にしてもよい。
【００１９】
また、前記実施形態では、正面板５及び背板８は、蝶番１５、１６を使用してそれぞれ天井板６に回動自在に接続したが、本考案はこれに限るものではなく、正面板５及び背板８は、蝶番１５、１６を使用してそれぞれ床板７に回動自在に接続し、正面板５と天井板６との間、背面板８と天井板６との間にそれぞれパチン錠等の施錠手段２０，２１を取付けて、正面板５及び背面板８を天井板６と連結した状態で施錠可能にしてもよい。
【符号の説明】
【００２０】
１  ラック
２  棚
３  飼育ケージ
４  吊下用突起（挟持部材）
５  正面板
６  天井板
７  床板
８  背板
９  側面板
１０  係合溝（係合部材）
【図１】
0003187230.tif 000003
【図２】
0003187230.tif 000004
【図３】
0003187230.tif 000005
【図４】
0003187230.tif 000006
【図５】
0003187230.tif 000007
【図６】
0003187230.tif 000008
【図７】
0003187230.tif 000009
【図８】
0003187230.tif 000010
【図９】
0003187230.tif 000011
【図１０】
0003187230.tif 000012